(57)【要約】【課題】本発明は、スライド体だけでなく操作体のバックラッシュやがたつきを抑えることができるモンキーレンチを提供する。【解決手段】本発明のモンキーレンチ１０は、先端に突設された固定顎２１と、幅方向に形成されたスライド孔２６と、前記スライド孔に連通すると共に前記スライド孔よりも基端側に貫通開設された操作窓２７と、前記操作窓の幅方向に凹設された係合孔２８と、を有するレンチ本体２０と、可動顎３１と、前記可動顎の基端に形成され、ラック３４の刻設されたラック軸３２と、を有するスライド体３０であって、前記ラック軸が前記スライド孔にスライド可能に嵌まるスライド体と、前記ラックに噛合し、前記操作窓から周縁が臨出するウォームギア４１と、前記ウォームギアを貫通し、前記係合孔２８に嵌まるウォーム軸４２と、を具える操作体４０と、前記操作体を前記スライド体に向けて付勢する付勢手段５０を具える。【選択図】図１
2015208787.tif 000002
【特許請求の範囲】
【請求項１】
先端に突設された固定顎と、幅方向に形成されたスライド孔と、前記スライド孔に連通すると共に前記スライド孔よりも基端側に貫通開設された操作窓と、前記操作窓の幅方向に凹設された係合孔と、を有するレンチ本体と、
可動顎と、前記可動顎の基端に形成され、ラックの刻設されたラック軸と、を有するスライド体であって、前記ラック軸が前記スライド孔にスライド可能に嵌まるスライド体と、
前記ラックに噛合し、前記操作窓から周縁が臨出するウォームギアと、前記ウォームギアを貫通し、前記係合孔に嵌まるウォーム軸と、を具える操作体と、
を有するモンキーレンチであって、
前記操作体を前記スライド体に向けて付勢する付勢手段を具える、
ことを特徴とするモンキーレンチ。
【請求項２】
前記付勢手段は、前記ウォーム軸を前記ラック軸に向けて付勢する、
請求項１に記載のモンキーレンチ。
【請求項３】
前記係合孔は、前記ウォーム軸を前記ラック軸に対して軸間の距離が可変となるように、前記スライド孔に向けて長く形成される、
請求項１又は請求項２に記載のモンキーレンチ。
【請求項４】
前記付勢手段は、前記係合孔の底面に配置され、前記ウォーム軸を前記ラック軸に向けて付勢する、
請求項３に記載のモンキーレンチ。
【請求項５】
前記付勢手段は、一対の薄板バネであり、前記ウォームギアを挟んで両側に配置される、
請求項４に記載のモンキーレンチ。
【発明の詳細な説明】
【技術分野】
【０００１】
本発明は、ボルトやナットの締緩に用いられ、固定顎に対して可動顎を接近離間可能なモンキーレンチに関するものであり、より具体的には、バックラッシュやがたつきを抑えることのできるモンキーレンチに関するものである。
【背景技術】
【０００２】
ボルトやナットなどの締緩作業に用いられるモンキーレンチは、使用者の握るグリップの形成されたレンチ本体の先端に固定顎が形成されており、レンチ本体には、固定顎に対して接近離間可能にスライドする可動顎を含むスライド体が装着されている。スライド体には、ラックが刻設されており、レンチ本体に回動自在に装着された操作体のウォームギアと噛合している。そして、操作体を回転させることで可動顎を固定顎に対して接近又は離間方向にスライドさせている。
【０００３】
上記構成のモンキーレンチでは、スライド体は、ラックの形成されたラック軸が、レンチ本体に形成されたスライド孔にスライド可能に嵌まっている。このスライド孔とラック軸との間には、スライド体をレンチ本体に対してスライド可能に移動させるために遊びが必要となる。この遊びにより、スライド体とレンチ本体との間に、バックラッシュやがたつきが生じる。
【０００４】
そこで、特許文献１では、ラック軸に付勢手段を内装し、付勢手段によってラック軸をスライド孔に押し当てることで、スライド体のがたつきを防止するようにしている。
【先行技術文献】
【特許文献】
【０００５】
【特許文献１】特開２００４−４２２４０号公報
【発明の概要】
【発明が解決しようとする課題】
【０００６】
上記構成により、スライド体とレンチ本体とのがたつきは防止され得るが、操作体のウォームギアとラックとの間のバックラッシュやがたつきは解消されない。
【０００７】
本発明の目的は、スライド体だけでなく操作体のバックラッシュやがたつきを抑えることができるモンキーレンチを提供することである。
【課題を解決するための手段】
【０００８】
上記課題を解決するために、本発明のモンキーレンチは、
先端に突設された固定顎と、幅方向に形成されたスライド孔と、前記スライド孔に連通すると共に前記スライド孔よりも基端側に貫通開設された操作窓と、前記操作窓の幅方向に凹設された係合孔と、を有するレンチ本体と、
可動顎と、前記可動顎の基端に形成され、ラックの刻設されたラック軸と、を有するスライド体であって、前記ラック軸が前記スライド孔にスライド可能に嵌まるスライド体と、
前記ラックに噛合し、前記操作窓から周縁が臨出するウォームギアと、前記ウォームギアを貫通し、前記係合孔に嵌まるウォーム軸と、を具える操作体と、
を有するモンキーレンチであって、
前記操作体を前記スライド体に向けて付勢する付勢手段を具える。
【発明の効果】
【０００９】
本発明のモンキーレンチによれば、操作体をスライド体に向けて付勢手段により付勢することで、ウォームギアがラックに押し当てられ、さらに、ウォームギアに押されて、ラック軸もスライド孔に押し当てられる。これにより、ウォームギアとラックとのバックラッシュやがたつきが抑えられ、また、ラック軸とスライド孔とのバックラッシュやがたつきも抑えることができる。
【００１０】
従って、レンチ本体、スライド体及び操作体の何れの間にもバックラッシュやがたつきが生じることを抑えることができる。
【図面の簡単な説明】
【００１１】
【図１】図１は、本発明の一実施形態に係るモンキーレンチの正面図であって、要部を断面して示している。
【図２】図２は、モンキーレンチの左側面図である。
【図３】図３は、図１の線ＩＩＩ−ＩＩＩに沿って切断し矢印方向に視た拡大端面図である。
【図４】図４は、図１の線ＩＶ−ＩＶに沿って切断し矢印方向に視た拡大端面図である。
【図５】図５は、操作体と付勢手段を取り出して示す説明図である。
【発明を実施するための形態】
【００１２】
以下、本発明の一実施形態に係るモンキーレンチ１０について、図面に沿って説明を行なう。
【００１３】
図１は、モンキーレンチ１０の要部を断面して示す正面図、図２は左側面図である。また、図３、図４は、夫々図１の線ＩＩＩ−ＩＩＩ、線ＩＶ−ＩＶに沿って切断して矢印方向に視た端面図である。
【００１４】
モンキーレンチ１０は、固定顎２１を有するレンチ本体２０と、レンチ本体２０にスライド可能に装着され、可動顎３１を有するスライド体３０と、スライド体３０をスライド可能に操作するウォームギア４１の形成された操作体４０とを具える。
【００１５】
レンチ本体２０は、基端側に使用者が握るグリップ２２が形成されており、先端のヘッド部２３には、可動顎３１と共にボルトやナットなどの締結部材を挟持する固定顎２１が突設されている。
【００１６】
レンチ本体２０のヘッド部２３には、固定顎２１の基端から略垂直にスライド面２４が形成されており、スライド面２４及び固定顎２１の基端側には、スライド体３０の接続部３３がスライド可能に嵌まるスライド溝２５が凹設されており、スライド溝２５の下縁には、スライド体３０をスライド可能に装着するスライド孔２６がスライド溝２５と連通して凹設されている。
【００１７】
また、ヘッド部２３には、一部がスライド孔２６と連通し、操作体４０のウォームギア４１が臨出する操作窓２７と、操作体４０の後述するウォーム軸４２が収容される係合孔２８が開設されている。係合孔２８の側面には、ウォーム軸４２を挿入するための挿入孔２９が開設されている。なお、係合孔２８については、下記にて詳細に説明する。
【００１８】
スライド体３０は、上述した固定顎２１と共にボルトやナットなどの締結部材を挟持する可動顎３１と、可動顎３１の基端に形成されたラック軸３２を具える。可動顎３１とラック軸３２は、厚さの薄い接続部３３によって連繋されている。
【００１９】
ラック軸３２は、上述したスライド孔２６にスライド可能に嵌まる形状、図示では略円形断面であり、接続部３３とは逆側にラック３４が刻設されている。
【００２０】
スライド体３０は、レンチ本体２０への装着状態では、ラック軸３２がスライド孔２６に嵌まり、接続部３３がスライド溝２５に嵌まっている。そして、可動顎３１が固定顎２１と対向している。
【００２１】
操作体４０は、上述したラック３４と噛合するウォームギア４１と、ウォームギア４１を貫通するウォーム軸４２を具える。ウォームギア４１の周縁には、操作時の滑り止めのためにローレット加工が施されており、中央に開設された軸孔４３にウォーム軸４２が遊嵌している。
【００２２】
操作体４０は、レンチ本体２０への装着状態では、ウォーム軸４２がウォームギア４１に挿入された状態で、ウォーム軸４２は係合孔２８、ウォームギア４１は操作窓２７に嵌まっている。また、ウォームギア４１は、スライド体３０のラック３４と噛合している。
【００２３】
操作体４０、とくに、ウォームギア４１が操作窓２７内で幅方向にがたつかないようにするために、図１及び図５に示すように、ウォーム軸４２に圧縮コイルバネや皿バネの如きウォームギア付勢手段４４を嵌めることで、ウォームギア４１の一方の端面が、操作窓２７の一方の側面から離れる方向、すなわち、ウォームギア４１の他方の端面が、操作窓２７の他方の側面に押し付けられるようにしている（図中矢印Ｂで示す）。
【００２４】
操作体４０がレンチ本体２０に装着された状態で、挿入孔２９は、ウォーム軸４２の脱落を防止するために、ネジなどの抜止め２９ａが装着される。なお、後述するとおり、ウォーム軸４２をラック軸３２と平行な面内においてスムーズに移動させることができるように、抜止め２９ａの先端は、係合孔２８の内側面に対してフラットになるよう構成することが好適である。
【００２５】
上記構成のモンキーレンチ１０において、本発明では、操作体４０をスライド体３０に向けて付勢する付勢手段５０を具えている。
【００２６】
より詳細には、付勢手段５０は、操作体４０をスライド体３０に向けて付勢することで、操作体４０がスライド体３０に押し当てられ、さらに、押されたスライド体３０がレンチ本体２０に押し当てられ、これらのバックラッシュやがたつきを抑えるものである。
【００２７】
操作体４０をスライド体３０に向けて付勢する構成として、ウォーム軸４２を付勢手段５０によってラック軸３２側に付勢する付勢手段５０を配置する構成を例示できる。
【００２８】
係合孔２８は、ウォーム軸４２とラック軸３２との軸間距離が可変となる、すなわち、ウォーム軸４２をラック軸３２と平行な面内で移動可能となるように、図１乃至図３に示すように、ラック軸３２側に向けて長い孔とすることができる。
【００２９】
この場合、付勢手段５０は、係合孔２８の底面に配置することができる。なお、係合孔２８の底面に付勢手段５０を配置する場合には、付勢手段５０を配置できるように、係合孔２８は、ラック軸３２側とは逆側にも長く形成し、その配置スペースを確保しておくことが好適である。
【００３０】
本実施形態では、付勢手段５０は、一対の薄板バネであり、図１乃至図３、図５に示すように、ウォームギア４１を挟んでウォーム軸４２の両側に配置している。図示において、薄板バネは、挿入孔２９側が屈曲し、他方が開放するよう配置している。これは、ウォーム軸４２を挿入孔２９から挿入したときに、薄板バネの開放端がウォーム軸４２に当たらずスムーズにウォーム軸４２を挿入できるようにするためである。
【００３１】
付勢手段５０は、薄板バネに限定されるものではなく、圧縮コイルバネやトーションバネ、ゴム等であってもよい。
【００３２】
そして、付勢手段５０により操作体４０が図中矢印Ａ方向に付勢されることで、その付勢力により、操作体４０は、ウォームギア４１がスライド体３０のラック３４に押し当てられる。すなわち、図１及び図４において、符号６０で示すように、ウォームギア４１はラック３４に密着する。
【００３３】
また、スライド体３０は、操作体４０によって同方向に押され、ラック軸３２がヘッド部２３のスライド孔２６の上端に押し当てられる。すなわち、図３及び図４において、符号６１で示すように、ラック軸３２はスライド孔２６に密着する。
【００３４】
然して、操作体４０とスライド体３０、スライド体３０とレンチ本体２０に生ずるバックラッシュやがたつきを抑えることができる。
【００３５】
付勢手段５０の付勢力を調整することで、バックラッシュやがたつきの抑制度合いを適宜決定することができる。すなわち、付勢手段５０の付勢力が大きいと、バックラッシュやがたつきは抑えられるが、操作体４０を回転操作させ難くなり、逆に付勢力が小さいと、バックラッシュやがたつきを十分に抑えることができない。従って、これらや各部材の公差、遊びを考慮して、付勢手段５０の付勢力を決定することが望まれる。
【００３６】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３７】
たとえば、上記実施形態では、付勢手段５０を一対とし、ウォーム軸４２を両側から付勢しているが、何れか一方であってもよい。但し、この場合、付勢手段５０によってウォーム軸４２が傾くおそれがある。
【００３８】
また、上記実施形態では、付勢手段５０は、ウォーム軸４２に直接当接させているが、ウォーム軸４２に軸受を配置し、軸受を付勢手段５０によって付勢するようにしてもよい。
【００３９】
さらに、付勢手段５０は、操作体４０をラック軸３２側に引っ張る構成であってもよい。
【符号の説明】
【００４０】
１０  モンキーレンチ
２０  レンチ本体
２１  固定顎
２６  スライド孔
２７  操作窓
２８  係合孔
３０  スライド体
３１  可動顎
３２  ラック軸
３４  ラック
４０  操作体
４１  ウォームギア
４２  ウォーム軸
５０  付勢手段
【図１】
2015208787.tif 000003
【図２】
2015208787.tif 000004
【図３】
2015208787.tif 000005
【図４】
2015208787.tif 000006
【図５】
2015208787.tif 000007
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
先端に突設された固定顎と、幅方向に形成されたスライド孔と、前記スライド孔に連通すると共に前記スライド孔よりも基端側に貫通開設された操作窓と、前記操作窓の幅方向に凹設された係合孔と、を有するレンチ本体と、
可動顎と、前記可動顎の基端に形成され、ラックの刻設されたラック軸と、を有するスライド体であって、前記ラック軸が前記スライド孔にスライド可能に嵌まるスライド体と、
前記ラックに噛合し、前記操作窓から周縁が臨出するウォームギアと、前記ウォームギアを貫通し、前記係合孔に嵌まるウォーム軸と、を具える操作体と、
を有するモンキーレンチであって、
前記係合孔は、前記ウォーム軸を前記ラック軸に対して軸間の距離が可変となるように、前記スライド孔に向けて長く形成され、
前記係合孔の側面には、前記ウォーム軸を挿入するための挿入孔が開設されており、
前記係合孔の底面には、前記ウォーム軸を前記ラック軸に向けて付勢する屈曲した薄板バネからなる付勢手段を具え、
前記薄板バネは、前記挿入孔側が屈曲し、他方が開放するよう配置される、
ことを特徴とするモンキーレンチ。
【請求項２】
前記薄板バネは、前記ウォームギアを挟んで両側に配置される、
請求項１に記載のモンキーレンチ。
【請求項３】
前記挿入孔には、前記ウォーム軸の脱落を防止する抜止めが装着されており、
前記抜止めの先端は、前記係合孔の内側面に対してフラットになるよう構成されている、
請求項１又は請求項２に記載のモンキーレンチ。
【請求項４】
前記ウォーム軸には、前記ウォームギアの一方の端面が前記操作窓の一方の側面から離れる方向に付勢するウォームギア付勢手段が嵌められている、
請求項１乃至請求項３の何れかに記載のモンキーレンチ。